(57)【要約】      （修正有）【課題】厳冬の凍結時に、ハンドルを開閉してもパッキンを傷めない寒冷地用蛇口やカランの保護構造を提供する。【解決手段】水道管内の一方から他方に連通する連通穴Ｙの縁部に、複数に分割された溝１を設け、該溝と、連通穴とに当接するパッキンを、ハンドル側に設け、且つ、パッキンを弾性材により、連通穴の縁部方向に付勢させた寒冷地用蛇口において、複数に分割された溝の連通穴の全周表面部、及び、水道水が溜まる溝の内周全表面部に、断熱シート等の断熱材をそれぞれ貼着するか、或いは、断熱塗料等の断熱剤をそれぞれ塗布して設け、かつ、水道管の蛇口本体の外周面に複数の凹凸状部４を形成して設けたことを特徴とする。【選択図】図２
0003173274.tif 000002
【実用新案登録請求の範囲】
【請求項１】
水道管（Ｘ）内の一方から他方に連通する連通穴（Ｙ）の縁部（Ｚ）に、複数に分割された溝（１）を設け、該溝と、連通穴（Ｙ）とに当接するパッキン（Ｐ）を、ハンドル（Ｈ）側に設け、且つ、パッキン（Ｐ）を弾性材（２）により、連通穴（Ｙ）の縁部（Ｚ）方向に付勢させた寒冷地用蛇口において、複数に分割された溝（１）の連通穴（Ｙ）の全周表面部、及び、水道水が溜まる溝（１）の内周全表面部に、断熱シート等の断熱材（３）をそれぞれ貼着するか、或いは、断熱塗料等の断熱剤（３'）をそれぞれ塗布して設け、且つ、水道管（Ｘ）の蛇口本体（Ｘ'）の外周面に複数の凹凸状部（４）を形成して設けたことを特徴とする寒冷地用蛇口のパッキン保護構造。
【考案の詳細な説明】
【技術分野】
【０００１】
この考案は、寒冷地用蛇口のパッキンの保護構造に関するものである。
【背景技術】
【０００２】
従来、水道管の中途に設けられた止水栓は、例えば、室内に設けた水道管の蛇口のパッキンが効かなくなった場合、或いは、洋式トイレの水を流す装置等が壊れた場合等に、この止水栓を止めてから、取り替え作業をするものであり、便利なものであった。
【０００３】
しかし、この止水栓（カランも含む）は、通常、屋外にあり、厳冬期においては、内部の水まで凍結してしまい開閉が出来ないということが度々あった。
【０００４】
そして、その理由は、水道管（Ｘ）側の連通穴（Ｙ）の縁部（Ｚ）を押圧して閉塞するための、ハンドル（Ｈ）側のパッキン（Ｐ）が、凍結により連通穴（Ｙ）の縁部（Ｚ）に固着してしまい、ハンドル（Ｈ）の開閉が不可能となるからである。
【０００５】
そして、無理にハンドル（Ｈ）を開閉すると、水道管（Ｘ）側の連通穴（Ｙ）の縁部（Ｚ）を押圧して閉塞されたパッキン（Ｐ）が破損してしまうという欠点があった。
【０００６】
これまでに、出願されている止水栓に関する特許文献を参考のため、紹介する（特許文献１〜２参照）。
【先行技術文献】
【特許文献】
【０００７】
【特許文献１】特開２００４−００３１６２
【特許文献２】特開２００４−２９３０９６
【考案の開示】
【考案が解決しようとする課題】
【０００８】
そこで、上記課題を解決する為に、この考案は上記の欠点を除去し、厳冬の凍結時に、ハンドルを開閉してもパッキンを傷めない寒冷地用蛇口やカランの保護構造を開発・提供するものである。
【課題を解決するための手段】
【０００９】
課題を解決するための手段として、水道管内の一方から他方に連通する連通穴の縁部に、複数に分割された溝を設け、該溝と、連通穴とに当接するパッキンを、ハンドル側に設け、且つ、パッキンを弾性材により、連通穴の縁部方向に付勢させた寒冷地用蛇口において、複数に分割された溝の連通穴の全周表面部、及び、水道水が溜まる溝の内周全表面部に、断熱シート等の断熱材をそれぞれ貼着するか、或いは、断熱塗料等の断熱剤をそれぞれ塗布して設け、且つ、水道管の蛇口本体の外周面に複数の凹凸状部を形成して設けたことを特徴とするものである。
【考案の効果】
【００１０】
この考案の効果として、水道管内の一方から他方に連通する連通穴の縁部に、複数に分割された溝を設け、該溝と、連通穴とに当接するパッキンを、ハンドル側に設け、且つ、パッキンを弾性材により、連通穴の縁部方向に付勢させた寒冷地用蛇口において、複数に分割された溝の連通穴の全周表面部、及び、水道水が溜まる溝の内周全表面部に、断熱シート等の断熱材をそれぞれ貼着するか、或いは、断熱塗料等の断熱剤をそれぞれ塗布して設け、且つ、水道管の蛇口本体の外周面に複数の凹凸状部を形成して設けたことで、連通穴部及び水道水が溜まる溝部の水が凍結することが無く成り、パッキンを傷めること無く、開閉が自在になる等、極めて有益なる効果を奏するものである。
【図面の簡単な説明】
【００１１】
【図１】この考案の一実施例を示し、止水栓の一部欠截正面図である。
【図２】この考案の一実施例を示し、止水栓の一部欠截平面図である。
【考案を実施するための形態】
【００１２】
この考案を実施するための形態として、水道管（Ｘ）内の一方から他方に連通する連通穴（Ｙ）の縁部（Ｚ）に、複数に分割された溝（１）を設け、該溝と、連通穴（Ｙ）とに当接するパッキン（Ｐ）を、ハンドル（Ｈ）側に設け、且つ、パッキン（Ｐ）を弾性材（２）により、連通穴（Ｙ）の縁部（Ｚ）方向に付勢させた寒冷地用蛇口において、複数に分割された溝（１）の連通穴（Ｙ）の全周表面部、及び、水道水が溜まる溝（１）の内周全表面部に、断熱シート等の断熱材（３）をそれぞれ貼着するか、或いは、断熱塗料等の断熱剤（３'）をそれぞれ塗布して設け、且つ、水道管（Ｘ）の蛇口本体（Ｘ'）の外周面に複数の凹凸状部（４）を形成して設けたことを特徴とする寒冷地用蛇口のパッキン保護構造から構成される。
【実施例１】
【００１３】
そこで、この考案の一実施例を図１〜図２に基づいて詳述すると、まず、図１に示すように、水道管（Ｘ）内の一方から他方に連通する連通穴（Ｙ）の縁部（Ｚ）に、複数に分割された溝（１）を設け、該溝と、連通穴（Ｙ）とに当接するパッキン（Ｐ）を、ハンドル（Ｈ）側に設け、且つ、パッキン（Ｐ）を弾性材（２）により、連通穴（Ｙ）の縁部（Ｚ）方向に付勢させ、又、図２に示すように、複数に分割された溝（１）の連通穴（Ｙ）の全周表面部、及び、水道水が溜まる溝（１）の内周全表面部に、断熱シート等の断熱材（３）をそれぞれ貼着するか、或いは、断熱塗料等の断熱剤（３'）をそれぞれ塗布し、更に、水道管（Ｘ）の蛇口本体（Ｘ'）の外周表面に複数の凹凸状部（４）を形成して設けたものである。
【００１４】
又、図１中の（Ｔ）は調整ネジであり、弾性材（２）の余裕をつくるための、該調整ネジ（Ｔ）であり、該ネジを上下に動かしながら固定することにより、ハンドル軸（Ｊ）の上部へ当てて締めすぎをセーブするものであり、又、（３）は、断熱材であり、水温が低下するのを防ぐものであり、又、図２中の（４）は、蛇口本体（Ｘ'）周囲に複数の凹凸状部（４）をそれぞれ設けて表面積を増やす事で、大気中の外気（空気）温を、蛇口本体（Ｘ'）に伝え、更に、蛇口本体に伝わった熱を、蛇口本体内部の水に伝えて、水温を上昇させるものである。
【産業上の利用可能性】
【００１５】
この考案の寒冷地用蛇口のパッキンの保護構造は、寒冷地用蛇口の凍結時におけるパッキンの保護構造技術を確立し、それに基づいて寒冷地用蛇口を製造・販売することにより、多くの関係市場に寄与するため、産業上の利用可能性を有する。
【符号の説明】
【００１６】
１  溝
２  弾性材
３  断熱材
３'  断熱剤
４  凹凸状部
Ａ  分割位置
Ｈ  ハンドル
Ｊ  ハンドル軸
Ｐ  パッキン
Ｔ  調整ネジ
Ｗ  水道水
Ｘ  水道管
Ｘ'  蛇口本体
Ｙ  連通穴
Ｚ  縁部
【図１】
0003173274.tif 000003
【図２】
0003173274.tif 000004